(57)【要約】【課題】ポスターなどの掲示物を効果的に掲示できるようにする掲示具を提供する。【解決手段】掲示具は、柔軟なプラスチックの素材で形成された、略平板状の形状の本体１を備える。本体１には、本体１の外縁の一つであり、直線状に形成された下端縁１０が設けられている。本体１の他の一つの外縁であり、下端縁１０と対向する位置に、上端縁１１が直線状に設けられている。下端縁１０の一端の領域には、第一の係合部１２が設けられている。下端縁１０の他端の領域であり、第一の係合部１２と対向する位置に第二の係合部１３が設けられている。【選択図】図１
2015206849.tif 000002
【特許請求の範囲】
【請求項１】
長手方向と略平行であり、少なくとも一部が略直線状に形成された所定の外縁を有すると共に、長手方向の両端が係合可能に構成され、
かつ、
前記所定の外縁の略直線状に形成された領域からの距離が略等しい２点を両端として、前記所定の外縁とは逆側に向けて凸状にスリットが設けられた本体を備える
掲示具。
【請求項２】
長手方向と略平行であり、少なくとも一部が略直線状に形成された所定の外縁を有すると共に、長手方向の両端が係合可能に構成された本体と、
該本体に、同本体との境界線が前記所定の外縁の略直線状に形成された領域と略平行をなすと共に、前記所定の外縁とは逆側に向けて設けられた挟持部とを備える
掲示具。
【請求項３】
前記スリットが、前記所定の外縁の近傍よりも同所定の外縁とは逆側に寄った位置に設けられた
請求項１に記載の掲示具。
【請求項４】
前記挟持部が、前記所定の外縁の近傍よりも同所定の外縁とは逆側に寄った位置に設けられた
請求項２に記載の掲示具。
【請求項５】
前記スリットが略半円弧状または略山型に形成された
請求項１に記載の掲示具。
【請求項６】
前記挟持部が略半円弧または略山型の面部を有する
請求項２に記載の掲示具。
【請求項７】
長手方向の一端に、長手方向の他端に向けた凸状の切込により形成された係合片と、前記長手方向の他端に前記係合片と係合可能な係合口とが設けられた
請求項１または請求項２に記載の掲示具。
【請求項８】
前記係合片の形状が先端に向けて先細りの形状となっている
請求項７に記載の掲示具。
【請求項９】
前記本体の前記係合片側と前記係合口との間の領域であると共に、前記スリットが形成された領域とは異なる領域にサイズ調整口が設けられた
請求項１に記載の掲示具。
【請求項１０】
長手方向の一端に、長手方向の他端に向けた凸状の切込により形成され、前記本体の長手方向と略直角に交わる方向と、前記凸状の切込の両端を結ぶ直線状の線分が略平行である保持片が設けられた
請求項１または請求項２に記載の掲示具。
【請求項１１】
前記本体に、前記スリットの両端部を結ぶ線分上に直線状に形成されたガイドラインが設けられた
請求項１に記載の掲示具。
【請求項１２】
前記本体の角部が丸みを帯びた形状を有する
請求項１または請求項２に記載の掲示具。
【請求項１３】
前記所定の外縁の長さの約１／３以下の長さに形成され、かつ、中央付近に載置部が設けられると共に両端が前記本体と係合可能な支持具を備える
請求項１または請求項２に記載の掲示具。
【請求項１４】
前記本体が透明若しくは半透明な素材で形成された
請求項１または請求項２に記載の掲示具。
【請求項１５】
前記本体が非吸水性の素材で形成された
請求項１または請求項２に記載の掲示具。
【請求項１６】
前記本体に目盛が設けられた
請求項１または請求項２に記載の掲示具。
【請求項１７】
前記所定の外縁の両端に穴部が貫通して設けられた
請求項１または請求項２に記載の掲示具。
【請求項１８】
長手方向と略平行であり、少なくとも一部が略直線状に形成された所定の外縁を有すると共に、長手方向の両端が係合可能に構成され、かつ、掲示対象物の略直線状の外縁を、前記所定の外縁の略直線状に形成された領域と略平行をなして挟持可能に構成された本体を備える
掲示具。
【発明の詳細な説明】
【技術分野】
【０００１】
本発明は掲示具に関する。詳しくは、例えば、ポスターなどの掲示物を効果的に掲示できるようにする掲示具に関するものである。
【背景技術】
【０００２】
ポスターは、屋外、屋内を問わず、壁面や柱などに掲示するために制作された、視覚的な宣伝、広告媒体である。
【０００３】
具体的には、現在上映中または上演中の映画や舞台公演、または近日中に上映予定または上演予定の映画や舞台公演などのポスターを劇場や繁華街に掲示することで、映画や舞台公演の日時や内容を効果的に宣伝することができる。
【０００４】
また、観光地や宿泊施設などのポスターが公共機関の駅などに掲示されることで、観光地などが宣伝され、旅行需要が喚起される。
【０００５】
ポスターを壁や柱に貼る際、通行人の目の高さの位置に合わせて掲示される。これにより、ポスターは通行人の目に留まりやすくなり、宣伝広告媒体としての機能を果たすことができる。
【０００６】
壁または柱に直接掲示物を貼る以外にも、掲示具を利用した掲示も行われている。例えば、特許文献１には、図７に示すポスタースタンドが記載されている。ポスタースタンド９００は、支柱９１０を備える。支柱９１０は、高さを自由に変えられる構造になっているので、通行人の目の位置に高さを合わせて、掲示物を掲示できるようになっている。
【先行技術文献】
【特許文献】
【０００７】
【特許文献１】実用新案登録第３１６７３１０号公報
【発明の概要】
【発明が解決しようとする課題】
【０００８】
しかしながら、ポスターなどの掲示物を掲示することができる場所は限られており、壁面等が他の掲示物で既に占められている場合には、掲示することができなかった。
【０００９】
また、特許文献１に示すポスタースタンドを利用して掲示する場合には、ポスタースタンドの支柱部分はステンレス製であるため、重たく、持ち運びに不便である。
【００１０】
また、特許文献１のポスタースタンドは、図７に示すように、ねじや部品が多く、組み立てが困難なものもあり、使いづらい。
【課題を解決するための手段】
【００１１】
上記の目的を達成するために、本発明の掲示具は、長手方向と略平行であり、少なくとも一部が略直線状に形成された所定の外縁を有すると共に、長手方向の両端が係合可能に構成され、かつ、前記所定の外縁の略直線状に形成された領域からの距離が略等しい２点を両端として、前記所定の外縁とは逆側に向けて凸状にスリットが設けられた本体を備える。
【００１２】
ここで、長手方向と略平行であり、少なくとも一部が略直線状に形成された所定の外縁によって、所定の外縁を床面側に向けて本体を設置することで、床面と掲示具の隙間が生じにくく、ポスターなどの掲示物を掲示した状態でも倒れにくい。
【００１３】
また、長手方向の両端が係合可能に構成されることによって、本体を湾曲させ、環状に形成することができる。
【００１４】
また、画鋲を用いると掲示物に画鋲の穴が開いてしまい、セロファン製粘着テープを用いると、掲示物をはがす際破れるなどしていた。しかし、本体に、スリットが所定の外縁とは逆側に向けて凸状に本体に設けられていることによって、掲示物をスリットに挟み込めば、掲示物に穴を開けること等なく、掲示物を確実に掲示することができる。
【００１５】
また、スリットが、所定の外縁の略直線状に形成された領域からの距離が略等しい２点を両端として形成されていることによって、スリットの掲示物を挟み込む領域は水平に形成されている。このため、スリットの両端まで掲示物を差し込んで挟み込むと、掲示物の下端を略水平に保つことができ、掲示物を直立させることができる。
【００１６】
上記の目的を達成するために、本発明の掲示具は、長手方向と略平行であり、少なくとも一部が略直線状に形成された所定の外縁を有すると共に、長手方向の両端が係合可能に構成された本体と、該本体に、同本体との境界線が前記所定の外縁の略直線状に形成された領域と略平行をなすと共に、前記所定の外縁とは逆側に向けて設けられた挟持部とを備える。
【００１７】
ここで、長手方向と略平行であり、少なくとも一部が略直線状に形成された所定の外縁によって、所定の外縁を床面側に向けて本体を設置することで、床面と掲示具の隙間が生じにくく、ポスターなどの掲示物を掲示した状態でも倒れにくい。
【００１８】
また、長手方向の両端が係合可能に構成された本体によって、本体を湾曲させ、環状に形成することができる。
【００１９】
また、画鋲を用いると掲示物に画鋲の穴が開いてしまい、セロファン製粘着テープを用いると、掲示物をはがす際破れるなどしていた。しかし、挟持部が本体に設けられていることによって、掲示物を挟持部に挟み込めば掲示することができるので、掲示物に穴を開けること等なく、掲示物を確実に掲示することができる。
【００２０】
また、本体との境界線が所定の外縁の略直線状に形成された領域と略平行をなすように挟持部が設けられていることによって、掲示物を挟み込む領域は水平に形成されている。このため、挟持部に掲示物を挟み込んだ際、掲示物の下端を略水平に保つことができ、掲示物を直立させることができる。
【００２１】
また、挟持部が本体に設けられたことによって、本体にスリットなどの切込を入れる必要はないので、本体の強度を増すことができる。
【００２２】
また、スリットが所定の外縁の近傍よりも同所定の外縁とは逆側に寄った位置に設けられた場合には、所定の外縁を床面側に向けて本体を設置することで、掲示物を床面から離れた位置に設置することができる。これにより、屋外などで使用する場合であっても掲示物に水や泥などが付着するのを防ぐことができる。
【００２３】
また、挟持部が所定の外縁の近傍よりも同所定の外縁とは逆側に寄った位置に設けられた場合には、所定の外縁を床面側に向けて本体を設置することで、掲示物を床面から離れた位置に設置することができる。これにより、屋外などで使用する場合であっても掲示物に水や泥などが付着するのを防ぐことができる。
【００２４】
また、スリットが略半円弧状または略山型に形成された場合には、スリットに掲示物を挟み込む際、スリットの形状に丸みがあるため、掲示物を傷つけることなく掲示できる。
【００２５】
また、挟持部が略半円弧または略山型の面部を有する場合には、挟持部の形状に丸みがあるため、掲示物を傷つけることなく掲示できる。
【００２６】
また、長手方向の一端に、長手方向の他端に向けた凸状の切込により形成された係合片と、長手方向の他端に係合片と係合可能な係合口とが設けられた場合には、係合片を係合口に差し込みやすくなり、本体の長手方向の両端部を容易に係合することができる。
【００２７】
また、係合片の形状が先端に向けて先細りの形状となっている場合には、係合口に係合片を差し込みやすくなる。
【００２８】
また、本体の係合片側と係合口との間の領域であると共に、スリットが形成された領域とは異なる領域に、サイズ調整口が設けられた場合には、掲示物のサイズに合わせて掲示物を筒状に掲示することができる。
【００２９】
また、長手方向の一端に長手方向の他端に向けた凸状の切込により保持片が形成された場合には、保持片の形状に丸みがあるため、掲示物を傷つけることなく掲示できる。
【００３０】
また、本体の長手方向と略直角に交わる方向と、凸状の切込の両端を結ぶ直線状の線分が略平行である保持片が設けられた場合には、掲示物の底辺と側辺の少なくとも一方が略直線状であれば、掲示物を略垂直に掲示することができる。具体的には、略直線状の掲示物の底辺をスリット又は挟持部の両端まで差し込んで挟み込み、若しくは略直線状の側辺を保持片の両端まで差し込んで挟み込むことにより、掲示物を略垂直に掲示することができる。
【００３１】
また、本体に、スリットの両端部を結ぶ線分上に直線状に形成されたガイドラインが設けられた場合には、ガイドラインを目印にして掲示物をスリットの両端まで差し込むことにより、掲示物を水平に掲示することができる。
【００３２】
また、本体の角部が丸みを帯びた形状を有する場合には、掲示物に本体の角部が触れても掲示物が傷つきにくくなる。
【００３３】
また、所定の外縁の長さの約１／３以下の長さに形成された支持具を備える場合には、支持具の長さは、環状に形成された本体の直径とほぼ同じ長さとなる。このとき、支持具の両端は本体に係合可能に形成されているので、支持具の両端を本体に係合することができる。
【００３４】
また、支持具の中央付近に載置部が設けられた場合には、照明器具やウェイトを設置することができる。
【００３５】
また、本体が透明若しくは半透明な素材で形成された場合には、掲示物のデザインを損なうことなく、掲示物を掲示することができる。
【００３６】
また、本体が非吸水性の素材で形成された場合には、床面が濡れた場所で掲示具を使用しても掲示具が水分を吸収しにくいので、掲示されている掲示物が濡れることを防ぐことができる。
【００３７】
また、本体に目盛が設けられた場合には、掲示具として利用するだけでなく、定規としても使用することができる。
【００３８】
また、所定の外縁の両端に穴部が貫通して設けられた場合には、掲示具に掲示物を挟み込み、穴部に紐を通せば掲示物を吊り下げて掲示することができる。
【００３９】
上記の目的を達成するために、本発明の掲示具は、長手方向と略平行であり、少なくとも一部が略直線状に形成された所定の外縁を有すると共に、長手方向の両端が係合可能に構成され、かつ、掲示対象物の略直線状の外縁を、前記所定の外縁の略直線状に形成された領域と略平行をなして挟持可能に構成された本体を備える。
【００４０】
ここで、長手方向と略平行であり、少なくとも一部が略直線状に形成された所定の外縁によって、所定の外縁を床面側に向けて本体を設置することで、床面と掲示具の隙間が生じにくく、ポスターなどの掲示物を掲示した状態でも倒れにくい。
【００４１】
また、長手方向の両端が係合可能に構成された本体によって、本体を湾曲させ、環状に形成することができる。
【００４２】
また、掲示対象物の略直線状の外縁を、所定の外縁の略直線状に形成された領域と略平行をなして挟持可能に構成された本体によって、掲示物を略垂直に掲示することができる。
【発明の効果】
【００４３】
本発明は以上の点に鑑みて創案されたものであり、ポスターなどの掲示物を効果的に掲示できるようにする掲示具となっている。
【図面の簡単な説明】
【００４４】
【図１】第１の実施の形態に係る掲示具の構造を示した正面図である。
【図２】第２の実施の形態に係る掲示具の構造の一部を示した斜視説明図である。
【図３】係合片１２と係合口１３を係合させて、環状にした本体１の斜視概略図である。
【図４】第３の実施の形態に係る本体３に支持具を付けた斜視説明図である。
【図５】第４の実施の形態に係る掲示具の構造を示した正面図である。
【図６】本体の使用状態説明図である。
【図７】従来のポスタースタンドを示した図である。
【発明を実施するための形態】
【００４５】
以下、本発明の実施の形態について図１ないし図６を参照しながら説明し、本発明の理解に供する。
【００４６】
〔第１の実施の形態〕
本発明の第１の実施の形態を図１及び図３に基づいて説明する。
図１は、第１の実施の形態に係る掲示具の構造を示した正面図である。
図３は、係合片１２と係合口１３を係合させて、環状に形成した本体１の斜視概略図である。
【００４７】
図１に示すように、本発明を適用した掲示具の一例であるポスター掲示具Ａは、柔軟なプラスチックの素材で形成された、略平板状の本体１を備える。
【００４８】
また、本体１がプラスチック製であることから軽く、複数枚重ねても市販のポスタースタンドのような重さにはならないため、送料などの負担を抑えることができる。
【００４９】
また、本体１が全体として略平板状の形状を有することから、複数枚重ねても場所を取らず、市販のポスタースタンドよりもコンパクトに収納できるので、送料などの負担を抑えることができる。
【００５０】
また、本体１には、本体１の所定の外縁であり、略直線状に形成された下端縁１０が設けられている。下端縁１０が略直線状に形成されていることにより、下端縁１０を床面側に向けて本体１を設置することで、本体１を水平な床面に沿って設置することができるので、床面と掲示具の隙間が生じにくく、掲示具ごとポスターが倒れにくい。なお、ポスターは掲示物の一例である。
【００５１】
また、本体１の他の外縁であり、下端縁１０と対向する位置に、上端縁１１が略直線状に設けられている。本体１が略平板状に形成され、下端縁１０と上端縁１１が略直線状に設けられていることにより、本体１が略帯状の形状となり、複数枚重ねてもかさばることないので、持ち運びに便利である。
【００５２】
また、下端縁１０の長手方向の一端の領域には、略半楕円状の切込により形成された係合片１２が設けられている。
【００５３】
また、下端縁１０の長手方向の他端の領域であり、係合片１２と対向する位置に、短手方向に平行に、直線状に形成された係合口１３が設けられている。
【００５４】
係合片１２を係合口１３に差し込むことにより、本体１の長手方向の両端を係合させることができ、図３に示すように、本体１を環状に形成することができる。
【００５５】
また、係合片１２と係合口１３を係合させて、本体１を環状に形成することにより、本体１に挟持されたポスターを筒状に掲示することができる。
【００５６】
また、本体１の下端縁１０に沿って、スリット１４が７個設けられている。スリット１４は、上端縁１１に向けて半円弧状の切込により形成されている。スリット１４にはポスターなどの掲示物を挟み込むことができる。
【００５７】
また、スリット１４によって、画鋲やセロハン製粘着テープを使ってポスターを傷付けることなく、ポスターを掲示することができる。
【００５８】
また、スリット１４の両端を結んだ線分上に、下端縁１０に平行な直線状のガイドライン１５が形成されている。ガイドライン１５により、ポスターを差し込む位置を目で確認しながら、スリット１４の両端までポスターを差し込んで挟み込むことで、ポスターの下端を水平に設置することができ、ポスター全体を略垂直に設置することができる。
【００５９】
また、本体１の一端に、本体１の長手方向と略直角に交わる方向と、凸状の切込の両端を結ぶ直線状の線分が略平行である保持片（図示せず）が形成されている。ポスターの底辺又は側辺が略直線状であれば、保持片（図示せず）にポスターを挟み込むことにより、ポスターを略垂直に掲示することができる。
【００６０】
具体的には、略直線状のポスターの底辺をスリット１４又は挟持部２０の両端まで差し込んで挟み込み、若しくは略直線状の側辺を保持片の両端まで差し込んで挟み込むことにより、ポスターを略垂直に掲示することができる。
【００６１】
また、ポスターが筒状に形成されるので、立体的にポスターを設置することができ、人目を惹きやすい。
【００６２】
また、ポスターを挟み込んだポスター掲示具を床において使用することにより、子供の目線にポスターが設置されるので、子供向けのイベントの宣伝広告を子供に対して直接的にアピールすることができる。
【００６３】
また、ポスターを挟み込んだポスター掲示具を床において使用することにより、大人の目の高さよりは下の位置にポスターが設置されることで、今までにはない位置にポスターが設置されることが目新しく感じられるため、子供だけでなく大人の目も引くことができる。
【００６４】
また、ポスター掲示具Ａを二つ用いて、ポスターを吊り下げて掲示することもできる。即ち、ポスターの一端と他端をそれぞれポスター掲示具Ａで挟持し、ポスターを筒状に形成する。このとき、ポスター掲示具Ａを紐等で吊り下げれば、ポスターを吊り下げて掲示することができる。
【００６５】
また、サイズ調整口１６は、スリット１４の間に二か所設けられている。サイズ調整口１６により、幅狭のポスターであっても、適したサイズ調整口１６を選ぶことで、ポスターの大きさに合った掲示をすることができる。
【００６６】
また、本体１はプラスチック製であることから製造単価が安く、複数枚そろえても金銭的負担を抑えることができる。
【００６７】
ここで、上端縁１１は、必ずしも直線状に限定されるものではない。曲線状や、波状等の形状も考えられる。
【００６８】
また、本体１は、必ずしも長手方向を有する略四角形状に限定されるものではない。下端縁１０が直線状であれば、他の外縁は曲線状や波状やその他の装飾された形状も考えられる。
【００６９】
また、本体１の長手方向の両端を係合する方法は、必ずしも上記の係合片１２と係合口１３に限定されるものではない。面ファスナーや、磁石などによる係合も考えられる。
【００７０】
また、係合片１２の形状は、特に限定されるものではない。係合片の先端が、係合口１３よりも幅広に形成され、係合片を係合口１３に差し込み、係合片の先端が係合口１３に掛かることにより、係合片が係合口１３から抜け出ないようにすることもできる。
【００７１】
また、スリット１４の形状は、必ずしも半円弧状に限定されるものではない。山型や、四角形状も考えられる。
【００７２】
また、スリット１４の個数は、必ずしも７個に限られるものではない。本体１の長さに応じた個数にすることができる。
【００７３】
また、ガイドライン１５は、必ずしも破線状に限られるものではない。直線状や、二重の直線状も考えられる。
【００７４】
また、ポスター掲示具Ａは、必ずしもポスターの下端部に設けられるものではない。筒状に丸めたポスターの中央付近に巻きつけることによってポスターを固定し、掲示することもできる。
【００７５】
また、サイズ調整口１６は必ずしも二つに限られるものではない。本体１の大きさに合わせて適宜変えることができる。
【００７６】
また、掲示物は、必ずしもポスターに限られるものではない。レストランなどでのオーダー表や名刺、メモ等を挟むことも考えられる。
【００７７】
また、掲示具は、必ずしも単体で用いるものではない。一の本体の係合片を他の本体の係合口に係合させれば、長手方向に複数の本体を連結することができるので、大きなサイズの掲示物を掲示することもできる。
【００７８】
以下、本発明の第１の実施の形態の使用方法について説明する。
【００７９】
本体１のスリット１４を指で押し、本体１に隙間を作る。本体１にできた隙間に、ポスターの下端を差し込んで挟み込む。ポスターの底辺を全長にわたって複数のスリット１４で挟み込む。
【００８０】
係合片１２を係合口１３へ挿入し、本体１の長手方向の両端を係合させ、本体１を環状に形成する。
【００８１】
本体１が環状に形成されることに伴って、図６に示すように、ポスターＰは筒状に形成される。
【００８２】
〔第２の実施の形態〕
本発明の第２の実施の形態を図２に基づいて説明する。
図２は、第２の実施の形態に係る掲示具の構造の一部を示した斜視説明図である。
【００８３】
図２に示すように、本発明を適用した掲示具の一例であるポスター掲示具Ｂは、柔軟なプラスチックの素材で形成された、略平板状の本体２と、上端縁１１に向けて本体２に突出して設けられた挟持部２０とを備える。
【００８４】
また、挟持部２０は本体２と接する縁部２１と本体２に接していない面部２２とからなる。本体２と面部２２の間には、隙間部２３が形成されていることによって、隙間部２３にポスターの下端を差し込むことにより、ポスターを挟持することができる。
【００８５】
また、縁部２１の両端は、下端縁１０からの距離が等しい位置に設けられていることによって、隙間部２３にポスターを差し込めば、ポスターの下端は水平に保たれるので、ポスター全体を垂直に設置することができる。
【００８６】
また、挟持部２０には隙間部２３が設けられていることによって、ポスターを挟持しても面部２２がポスターを押圧することはないので、ポスターを傷つけることなく掲示することができる。
【００８７】
ここで、挟持部２０の形状は特に限定されるものではない。略山型や、細長い短冊形も考えられる。
【００８８】
また、挟持部２０の個数は、必ずしも７個に限られるものではない。本体２の長さに応じた個数にすることができる。
【００８９】
以下、本発明の第２の実施の形態の使用方法について説明する。
【００９０】
挟持部２０の隙間部２３にポスターの底辺を全長にわたり差し込む。
【００９１】
係合片１２を係合口１３に差し込めば、本体２を環状に形成することができる。
【００９２】
本体２が環状に形成されることに伴って、ポスターは全体として垂直方向に延びた筒状に形成されるので、ポスターを垂直方向に直立して設置させることができる。
【００９３】
〔第３の実施の形態〕
本発明の第３の実施の形態を図４に基づいて説明する。
図４は、本体３に支持具３０と支持具３１を付けた斜視説明図である。
【００９４】
図４に示すように、本発明を適用した掲示具の一例であるポスター掲示具Ｃは、柔軟なプラスチックの素材で形成された、略平板状の本体３と、下端縁１０の約１／３の長さを有する、二本の支持具３０と支持具３１とを備える。
【００９５】
支持具３０は、両端に係止部３００と係止部３０１を有する。支持具３１は、両端に係止部３１０と係止部３１１を有する。
【００９６】
係止部３００、係止部３０１、係止部３１０および係止部３１１は、Ｌ字を上下逆にした形状の爪部３０２、爪部３０３、爪部３１２および爪部３１３を有している。
【００９７】
支持具３０と支持具３１は固定具３２で互いに固定されている。
【００９８】
以下、本発明の第３の実施の形態の使用方法について説明する。
【００９９】
係合片１２を係合口１３に差し込み、図４に示すように、本体３を環状に形成する。
【０１００】
本体３のスリット１４０、スリット１４１、スリット１４２およびスリット１４３を本体３の内側にやや折り曲げる。支持具３０の係止部３００の爪部３０２をスリット１４０に、係止部３０１の爪部３０３をスリット１４１に、支持具３１の係止部３１０の爪部３１２をスリット１４２に、係止部３１１の爪部３１３をスリット１４３に掛ける。
【０１０１】
支持具３０と支持具３１を固定具３２で互いに固定する。
【０１０２】
支持具３０と支持具３１が交わる中心付近に水の入ったペットボトルＰＢをウェイトとして置けば、ポスターを挟持したポスター掲示具Ｃが倒れにくくなる。
【０１０３】
ここで、支持具３０と支持具３１が交わる中心付近に置くものは、特に限定されるものではない。水の入ったペットボトル以外にも、照明器具等を置くこともできる。
【０１０４】
また、支持具３０と支持具３１の長さは特に限定されるものではない。本体３が形成する円の大きさに合わせて自由に調整できるようにすることもできる。
【０１０５】
また、支持具３０と支持具３１の素材は、特に限定されるものではない。強度を持たせるため、金属製とすることもできる。
【０１０６】
また、爪部の形状は、特に限定されるものではない。本体３に係止されればよく、磁石や粘着テープで係止することもできる。
【０１０７】
また、支持具の本数は、特に限定されるものではない。本体３のスリットの位置に応じて適宜変更することができる。
【０１０８】
また、ウェイトは、特に限定されるものではない。石や、砂袋などを用いることもできる。
【０１０９】
また、固定具３２は、特に限定されるものではない。支持具を互いに固定できればよく、面ファスナ、磁石、もしくは支持具を互いに嵌合可能な形状に形成したものも考えられる。
【０１１０】
〔第４の実施の形態〕
本発明の第４の実施の形態を図５に基づいて説明する。
図５は、第４の実施の形態に係る掲示具の構造を示した正面図である。
【０１１１】
図５に示すように、本発明を適用した掲示具の一例であるポスター掲示具Ｄは、柔軟なプラスチックの素材で形成された、略平板状の本体４を備える。
【０１１２】
また、下端縁１０の長手方向の一端の領域には、本体４から凸状に設けられた係合片４２が設けられている。係合片４２は略Ｔ字の形状を有しており、本体４の短手方向の幅よりも狭く形成されている。
【０１１３】
また、下端縁１０の長手方向の他端の領域であり、係合片４２と対向する位置に、短手方向と略平行に、係合口４３が設けられている。係合口４３は、杯を側面視した形状に近似した形状を有している。
【０１１４】
係合片４２を係合口４３に差し込むことにより、本体４の長手方向の両端を係合させることができ、本体４を環状に形成することができる。
【０１１５】
また、本体４の下端縁１０に沿って、スリット４４が７個設けられている。スリット４４は、上端縁１１に向けて略「Ω」の文字状の切込により形成されている。スリット４４にはポスターなどの掲示物を挟み込むことができる。
【０１１６】
また、本体４の一端に、略「コ」の字状の保持片４５が形成されている。ポスターの底辺又は側辺が略直線状であれば、保持片４５にポスターを挟み込むことにより、ポスターを略垂直に掲示することができる。
【０１１７】
具体的には、略直線状のポスターの底辺をスリット４４の両端まで差し込んで挟み込むと共に、略直線状の側辺を保持片４５の両端まで差し込んで挟み込むことにより、ポスターを略垂直に掲示することができる。
【０１１８】
このように、本発明を適用した掲示具は、ポスターなどの掲示物を効果的に掲示できるようにする掲示具となっている。
【符号の説明】
【０１１９】
１  本体
２  本体
３  本体
４  本体
１０  下端縁
１１  上端縁
１２  係合片
１３  係合口
１４  スリット
１５  ガイドライン
１６  サイズ調整口
２０  挟持部
２１  縁部
２２  面部
２３  隙間部
３０  支持具
３１  支持具
３２  固定具
４２  係合片
４３  係合口
４４  スリット
４５  保持片
１４０  スリット
１４１  スリット
１４２  スリット
１４３  スリット
３００  係止部
３０１  係止部
３０２  爪部
３０３  爪部
３１０  係止部
３１１  係止部
３１２  爪部
３１３  爪部
９００  ポスタースタンド
９１０  支柱
Ａ  ポスター掲示具
Ｂ  ポスター掲示具
Ｃ  ポスター掲示具
Ｄ  ポスター掲示具
Ｐ  ポスター
ＰＢ  ペットボトル
【図１】
2015206849.tif 000003
【図２】
2015206849.tif 000004
【図３】
2015206849.tif 000005
【図４】
2015206849.tif 000006
【図５】
2015206849.tif 000007
【図６】
2015206849.tif 000008
【図７】
2015206849.tif 000009